(57)【要約】【課題】  小型且つ安価で強度の大きいクランパプレートを有すること。【解決手段】  ディスクＤ用トレイ１を前後進ａ，ｂ可能に配置した筐体２の両側壁部２ａ間に前後進ａ，ｂ方向とは直交する左右方向ｃ，ｄに沿って渡し掛けた鋼板製クランパプレート３の両側縁部を上向きに直角に折り曲げて略Ｌ字状の上向き側縁補強部１３が形成され、クランパプレート３の中央部に形成したガイド孔５の周縁部を下向きに折曲して下向き環状補強部１４が形成され、クランパプレート３の両上向き側縁補強部１３間の中間部を上向きに略Ｕ字状に折曲して左右方向ｃ，ｄに延びる左右一対の上向き突条補強部１５が形成され、該各上向き突条補強部１５の外側端部１５ａがクランパプレート３の両端部近傍まで延ばされると共に、その各上向き突条補強部１５の内側端部１５ｂが下向き環状補強部１４に一体的につながっている。【選択図】        図１
2005149561.tif 000002
【特許請求の範囲】
【請求項１】
ディスク用トレイを前後進可能に配置した筐体の両側壁部間に前後進
方向とは直交する左右方向に沿って渡し掛けられる鋼板製クランパプレートの両側縁部を
下向きに直角に折り曲げて略Ｌ字状の下向き側縁補強部が形成され、該クランパプレート
の両端部がビスにより筐体の両側壁部に止着され、そのクランパプレートの中央に形成し
た円形ガイド孔にクランパが一定範囲内上下動可能に配置されており、該クランパに対向
して筐体に配置したターンテーブルによりトレイ上のディスクを持ち上げてクランパとで
クランプし、ターンテーブルによりディスクを回転させて該ディスクに記録されている情
報を光ピックアップで読み取るようにしたディスクプレーヤにおいて、前記下向き側縁補
強部に代えて、クランパプレートの両側縁部を上向きに直角に折り曲げて略Ｌ字状の上向
き側縁補強部が形成され、前記ガイド孔の周縁部を下向きに折曲して下向き環状補強部が
形成され、該下向き環状補強部を、ガイド孔が中央に形成された円形底壁部と、該底壁部
の外周から上広がりテーパ状に立ち上がる環状周壁部とにより形成し、クランパプレート
の両上向き側縁補強部間の中間部を上向きに略Ｕ字状に折曲して左右方向に延びる左右一
対の上向き突条補強部が形成され、該各上向き突条補強部の外側端部がクランパプレート
の両端部近傍まで延ばされると共に、その各上向き突条補強部の内側端部が外広がりの広
幅状に形成されて前記環状周壁部に一体的につながっていることを特徴とするディスクプ
レーヤ。
【請求項２】
ディスク用トレイを前後進可能に配置した筐体の両側壁部間に鋼板製
クランパプレートが前後進方向とは直交する左右方向に沿って渡し掛けられると共に、該
クランパプレートの両端部がビスにより筐体の両側壁部に止着され、そのクランパプレー
トの中央に形成した円形ガイド孔にクランパが一定範囲内上下動可能に配置されており、
該クランパに対向して筐体に配置したターンテーブルによりトレイ上のディスクを持ち上
げてクランパとでクランプし、ターンテーブルによりディスクを回転させて該ディスクに
記録されている情報を光ピックアップで読み取るようにしたディスクプレーヤにおいて、
前記クランパプレートの両側縁部を上向きに直角に折り曲げて略Ｌ字状の上向き側縁補強
部が形成され、前記ガイド孔の周縁部を下向きに折曲して下向き環状補強部が形成され、
クランパプレートの両上向き側縁補強部間の中間部を上向きに略Ｕ字状に折曲して左右方
向に延びる左右一対の上向き突条補強部が形成され、該各上向き突条補強部の外側端部が
クランパプレートの両端部近傍まで延ばされると共に、その各上向き突条補強部の内側端
部が下向き環状補強部に一体的につながっていることを特徴とするディスクプレーヤ。
【請求項３】
前記下向き環状補強部を、ガイド孔が中央に形成された円形底壁部と
、該底壁部の外周から立ち上がる環状周壁部とにより形成し、該環状周壁部が上広がりテ
ーパ状に形成されて上向き突条補強部の内側端部に一体的につながっていることを特徴と
する請求項２に記載のディスクプレーヤ。
【請求項４】
前記各上向き突条補強部の内側端部が外広がりの広幅状に形成されて
いることを特徴とする請求項２または３に記載のディスクプレーヤ。
【発明の詳細な説明】
【技術分野】
【０００１】
本発明は、ＣＤ、ＤＶＤなどの光ディスクや光磁気ディスク（以下、ディスクと略称す
る）に対して再生や記録をするためのディスクプレーヤに関し、特に、クランパプレート
の強度を大きくしたものである。
【背景技術】
【０００２】
従来、ディスクプレーヤの技術として特許文献１などに記載したものがあり、その一例
を図９及び図１０に基づいて説明すると、ディスクＤ用トレイ１を前後進ａ，ｂ可能に配
置した筐体２の両側壁部２ａ間に前後進ａ，ｂ方向とは直交する左右方向ｃ，ｄに沿って
渡し掛けられる鋼板製クランパプレート３の両側縁部を下向きに直角に折り曲げて略Ｌ字
状の下向き側縁補強部３ａが形成され、該クランパプレート３の両端部がビス４により筐
体２の両側壁部２ａに止着され、そのクランパプレート３の中央に形成した円形ガイド孔
５にクランパ６が一定範囲内上下動可能に配置されている。なお、７はクランパ６内に配
置した磁石、８はクランパ６に対向して筐体２内に配置したターンテーブルである。
【０００３】
ディスクＤのローディング手順を説明すると、図９に仮想線で示すように、前進ａ状態
のトレイ１上にディスクＤを載置した後、ローディング信号に基づいてトレイ１を後退ｂ
させることにより、図１０（ａ）に示すように、トレイ１上のディスクＤがクランパ６及
びターンテーブル８と同心状に位置決めされる。次に、図１０（ｂ）に示すように、トレ
イ１の通過孔１ａを通って上昇させたターンテーブル８により持ち上げたディスクＤをク
ランパ６とでクランプし、ターンテーブル８によりディスクＤを回転させることにより、
そのディスクＤに記録されている情報を光ピックアップ（図示せず）により読み取る。
【０００４】
出荷前の落下試験では、梱包したディスクプレーヤを一定高さから落下させることによ
り、クランパプレート３などの損傷状態をチェックして、そのクランパプレート３などの
強度が所定値以上であることを確認する。
【特許文献１】特開平１０−６４１４８号公報
【発明の開示】
【発明が解決しようとする課題】
【０００５】
上記従来の構成では、下向き側縁補強部３ａでクランパプレート３の両側縁部を補強し
ているだけで、該クランパプレート３の両側縁部以外の本体部分が補強されておらず、そ
の強度が小さい。そこで、クランパプレート３として例えば０．８ｍｍ程度の比較的肉厚
ｔが大きい鋼板を用いて、該クランパプレート３の全体の強度を高めているが、これでは
、肉厚ｔの大きい鋼板を用いている分だけ材料費が高くつく。
【０００６】
上記欠点を解消するため、図１１に示すように、クランパプレート３の中央部を部分的
に折曲してガイド孔５を取り囲むようにして環状補強部１０を形成すると共に、クランパ
プレート３の両側縁部間の中間部を部分的に折曲して環状補強部１０からクランパプレー
ト３の両端部近傍まで延びる左右一対の突条補強部１１を形成することが考えられる。こ
れによると、クランパプレート３をそのほぼ全長Ｈにわたって補強することができて、そ
の肉厚ｔを小さくすることができるが、環状補強部１０を形成した分だけクランパプレー
ト３の幅Ｌが大きくなって大型化し、材料費が高くつく。
【０００７】
そこで、図１２に示すように、環状補強部１０を削除することにより、クランパプレー
ト３の幅Ｌを小さくすることが考えられる。これによると、幅Ｌを小さくした分だけクラ
ンパプレート３を小型化して材料費を安くすることができるが、該クランパプレート３の
両突条補強部１１で挟まれた中央部Ｔの強度が著しく低下して、その中央部Ｔが落下試験
の際の衝撃で変形されたり座屈するおそれがある。
【０００８】
本発明は、上記従来の欠点に鑑み、小型且つ安価で強度の大きいクランパプレートを有
するディスクプレーヤを提供することを目的としている。
【課題を解決するための手段】
【０００９】
上記目的を達成するため、請求項１に記載の発明は、ディスク用トレイを前後進可能に
配置した筐体の両側壁部間に前後進方向とは直交する左右方向に沿って渡し掛けられる鋼
板製クランパプレートの両側縁部を下向きに直角に折り曲げて略Ｌ字状の下向き側縁補強
部が形成され、該クランパプレートの両端部がビスにより筐体の両側壁部に止着され、そ
のクランパプレートの中央に形成した円形ガイド孔にクランパが一定範囲内上下動可能に
配置されており、該クランパに対向して筐体に配置したターンテーブルによりトレイ上の
ディスクを持ち上げてクランパとでクランプし、ターンテーブルによりディスクを回転さ
せて該ディスクに記録されている情報を光ピックアップで読み取るようにしたディスクプ
レーヤにおいて、前記下向き側縁補強部に代えて、クランパプレートの両側縁部を上向き
に直角に折り曲げて略Ｌ字状の上向き側縁補強部が形成され、前記ガイド孔の周縁部を下
向きに折曲して下向き環状補強部が形成され、該下向き環状補強部を、ガイド孔が中央に
形成された円形底壁部と、該底壁部の外周から上広がりテーパ状に立ち上がる環状周壁部
とにより形成し、クランパプレートの両上向き側縁補強部間の中間部を上向きに略Ｕ字状
に折曲して左右方向に延びる左右一対の上向き突条補強部が形成され、該各上向き突条補
強部の外側端部がクランパプレートの両端部近傍まで延ばされると共に、その各上向き突
条補強部の内側端部が外広がりの広幅状に形成されて前記環状周壁部に一体的につながっ
ていることを特徴としている。
【００１０】
請求項２に記載の発明は、ディスク用トレイを前後進可能に配置した筐体の両側壁部間
に鋼板製クランパプレートが前後進方向とは直交する左右方向に沿って渡し掛けられると
共に、該クランパプレートの両端部がビスにより筐体の両側壁部に止着され、そのクラン
パプレートの中央に形成した円形ガイド孔にクランパが一定範囲内上下動可能に配置され
ており、該クランパに対向して筐体に配置したターンテーブルによりトレイ上のディスク
を持ち上げてクランパとでクランプし、ターンテーブルによりディスクを回転させて該デ
ィスクに記録されている情報を光ピックアップで読み取るようにしたディスクプレーヤに
おいて、前記クランパプレートの両側縁部を上向きに直角に折り曲げて略Ｌ字状の上向き
側縁補強部が形成され、前記ガイド孔の周縁部を下向きに折曲して下向き環状補強部が形
成され、クランパプレートの両上向き側縁補強部間の中間部を上向きに略Ｕ字状に折曲し
て左右方向に延びる左右一対の上向き突条補強部が形成され、該各上向き突条補強部の外
側端部がクランパプレートの両端部近傍まで延ばされると共に、その各上向き突条補強部
の内側端部が下向き環状補強部に一体的につながっていることを特徴としている。
【００１１】
請求項３に記載の発明は、請求項２に記載の発明において、前記下向き環状補強部を、
ガイド孔が中央に形成された円形底壁部と、該底壁部の外周から立ち上がる環状周壁部と
により形成し、該環状周壁部が上広がりテーパ状に形成されて上向き突条補強部の内側端
部に一体的につながっていることを特徴としている。
【００１２】
請求項４に記載の発明は、請求項２または３に記載の発明において、前記各上向き突条
補強部の内側端部が外広がりの広幅状に形成されていることを特徴としている。
【発明の効果】
【００１３】
請求項１に記載の発明は実施の一形態（図１から図８参照）に対応するものであって、
これによれば、クランパプレートの両側縁部が上向き側縁補強部により補強されると共に
、該クランパプレートの両側縁部以外の本体部分が下向き環状補強部と左右一対の上向き
突条補強部とで補強されており、特に、前記下向き環状補強部がガイド孔の周縁部に形成
されてその外径を小さくしているので、クランパプレートの幅を小さくすることができ、
しかも、各上向き突条補強部の内側端部が下向き環状補強部に一体的につながっているの
で、その両者を強固に一体連結することができるものであって、要するに、出荷前の落下
試験でも十分に耐えるようにクランパプレートをそのほぼ全長にわたって補強すると共に
、該クランパプレートの肉厚及び幅を小さくして材料費を安くすることができる。
【００１４】
また、クランパプレートを部分的に互いに逆向きに折曲させて下向き環状補強部と各上
向き突条補強部とをプレス成形する際に、該下向き環状補強部の環状周壁部と各上向き突
条補強部の内側端部との間のつなぎ部分に互いに逆向きの過大な負荷がかかるが、その両
者の対向角度が鈍角に設定されているので、前記つなぎ部分に過大な負荷によるひび割れ
などの傷がつくのを阻止して、下向き環状補強部と各上向き突条補強部とを強固につなぐ
ことができる。
【００１５】
更に、各上向き突条補強部の内側端部が外広がりの広幅状に形成されているので、該各
上向き突条補強部と下向き環状補強部とを一層強固につなぐことができる。
【００１６】
請求項２に記載の発明によれば、クランパプレートの両側縁部が上向き側縁補強部によ
り補強されると共に、該クランパプレートの両側縁部以外の本体部分が下向き環状補強部
と左右一対の上向き突条補強部とで補強されており、特に、前記下向き環状補強部がガイ
ド孔の周縁部に形成されてその外径を小さくしているので、クランパプレートの幅を小さ
くすることができ、しかも、各上向き突条補強部の内側端部が下向き環状補強部に一体的
につながっているので、その両者を強固に一体連結することができるものであって、要す
るに、出荷前の落下試験でも十分に耐えるようにクランパプレートをそのほぼ全長にわた
って補強すると共に、該クランパプレートの肉厚及び幅を小さくして材料費を安くするこ
とができる。
【００１７】
請求項３に記載の発明によれば、クランパプレートを部分的に互いに逆向きに折曲させ
て下向き環状補強部と各上向き突条補強部とをプレス成形する際に、該下向き環状補強部
の環状周壁部と各上向き突条補強部の内側端部との間のつなぎ部分に互いに逆向きの過大
な負荷がかかるが、その両者の対向角度が鈍角に設定されているので、前記つなぎ部分に
過大な負荷によるひび割れなどの傷がつくのを阻止して、下向き環状補強部と各上向き突
条補強部とを強固につなぐことができる。
【００１８】
請求項４に記載の発明によれば、各上向き突条補強部の内側端部が外広がりの広幅状に
形成されているので、該各上向き突条補強部と下向き環状補強部とを一層強固につなぐこ
とができる。
【発明を実施するための最良の形態】
【００１９】
図１から図８は本発明の実施の一形態であるディスクプレーヤを示すものであって、ク
ランパプレート３の両側縁部を上向きに直角に折り曲げて略Ｌ字状の上向き側縁補強部１
３が形成され、ガイド孔５の周縁部を下向きに折曲して下向き環状補強部１４が形成され
、クランパプレート３の両上向き側縁補強部１３間の中間部を上向きに略Ｕ字状に折曲し
て左右方向ｃ，ｄに延びる左右一対の上向き突条補強部１５が形成され、該各上向き突条
補強部１５の外側端部１５ａがクランパプレート３の両端部近傍まで延ばされると共に、
その各上向き突条補強部１５の内側端部１５ｂが下向き環状補強部１４に一体的につなが
っている。図４中、１６は筐体２の両側壁部２ａの上面に突設した一対の位置決め突起部
であって、クランパプレート３の両端部に貫設した一対の位置決め孔１７に嵌入されてい
る。上記以外の構成及び作用は図９から図１２に示す構成及び作用とほぼ同じであるから
、同一部分に同一符号を付してその説明を省略する。
【００２０】
上記構成によれば、クランパプレート３の両側縁部が上向き側縁補強部１３により補強
されると共に、該クランパプレート３の両側縁部以外の本体部分が下向き環状補強部１４
と左右一対の上向き突条補強部１５とで補強されており、特に、前記下向き環状補強部１
４がガイド孔５の周縁部に形成されてその外径ｅを小さくしているので、クランパプレー
ト３の幅Ｌを小さくすることができ、しかも、各上向き突条補強部１５の内側端部１５ｂ
が下向き環状補強部１４に一体的につながっているので、その両者１４，１５を強固に一
体連結することができるものであって、要するに、出荷前の落下試験でも十分に耐えるよ
うにクランパプレート３をそのほぼ全長Ｈにわたって補強すると共に、該クランパプレー
ト３の肉厚ｔ及び幅Ｌを小さくして材料費を安くすることができる。
【００２１】
図６及び図７に示すように、前記下向き環状補強部１４を、ガイド孔５が中央に形成さ
れた円形底壁部１４ａと、該底壁部１４ａの外周から立ち上がる環状周壁部１４ｂとによ
り形成し、該環状周壁部１４ｂが所定の傾斜角度α（この実施の形態では２５°）で上広
がりテーパ状に形成されて上向き突条補強部１５の内側端部１５ｂに一体的につながって
いる。
【００２２】
上記構成によれば、図７に示すように、クランパプレート３を部分的に互いに逆向きに
折曲させて下向き環状補強部１４と上向き突条補強部１５とをプレス成形する際に、該下
向き環状補強部１４の環状周壁部１４ｂと各上向き突条補強部１５の内側端部１５ｂとの
間のつなぎ部分Ｇに互いに逆向きの過大な負荷がかかるが、その両者１４ｂ，１５ｂの対
向角度βが鈍角（この実施の形態では１１５°）に設定されているので、前記つなぎ部分
Ｇに過大な負荷によるひび割れなどの傷がつくのを阻止して、下向き環状補強部１４と各
上向き突条補強部１５とを強固につなぐことができる。
【００２３】
図２に示すように、各上向き突条補強部１５の内側端部１５ｂの両側縁を所定の半径ｒ
（この実施の形態ではｒ＝５〜１０ｍｍ）で円弧状に形成することにより、該内側端部１
５ｂが外広がりの広幅状に形成されている。
【００２４】
上記構成によれば、各上向き突条補強部１５の内側端部１５ｂが外広がりの広幅状に形
成されているので、該上向き突条補強部１５と下向き環状補強部１４とを一層強固につな
ぐことができる。
【図面の簡単な説明】
【００２５】
【図１】本発明の実施の一形態であるディスクプレーヤの斜視図である。
【図２】同クランパプレート付近の平面図である。
【図３】同付近の縦断面図である。
【図４】同付近の横断面図である。
【図５】同クランパプレートの斜視図である。
【図６】図５のＡ−Ａ拡大矢視図である。
【図７】図５のＢ−Ｂ拡大矢視図である。
【図８】図５のＣ−Ｃ拡大矢視図である。
【図９】従来例を示す斜視図である。
【図１０】（ａ）はディスクをクランプする前の要部の縦断面図、（ｂ）は同クランプ状態の要部の縦断面図である。
【図１１】クランパプレートの変形の一例を示す平面図である。
【図１２】クランパプレートの変形の他の例を示す平面図である。
【符号の説明】
【００２６】
１        トレイ
２        筐体
２ａ      筐体の側壁部
３        クランパプレート
４        ビス
５        ガイド孔
６        クランパ
８        ターンテーブル
１３      上向き側縁補強部
１４      下向き環状補強部
１４ａ    下向き環状補強部の底壁部
１４ｂ    下向き環状補強部の環状周壁部
１５      上向き突条補強部
１５ａ    上向き突条補強部の外側端部
１５ｂ    上向き突条補強部の内側端部
Ｄ        ディスク
ａ，ｂ    前後進
ｃ，ｄ    左右方向
【図１】
2005149561.tif 000003
【図２】
2005149561.tif 000004
【図３】
2005149561.tif 000005
【図４】
2005149561.tif 000006
【図５】
2005149561.tif 000007
【図６】
2005149561.tif 000008
【図７】
2005149561.tif 000009
【図８】
2005149561.tif 000010
【図９】
2005149561.tif 000011
【図１０】
2005149561.tif 000012
【図１１】
2005149561.tif 000013
【図１２】
2005149561.tif 000014